(57)【特許請求の範囲】
【請求項１】
マルチキャリア変調方式により変調されたマルチキャリア変調信号のピーク電力を所定の手順で抑圧するマルチキャリア送信装置において、
前記マルチキャリア変調信号に対してガードインターバルを付加するガードインターバル付加手段と、
所定期間にわたって、前記ガードインターバル付加後の信号レベルを一定周期でサンプリングし、その結果得られた複数のサンプル値に基づいて前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項２】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号に対してガードインターバルを付加するガードインターバル付加手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項３】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項４】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
所定期間にわたって、前記ランプ処理後の信号の信号レベルを一定周期でサンプリングし、その結果得られた複数のサンプル値に基づいて前記ランプ処理後の信号の振幅が所定のしきい値に近づくように適応的にゲインを算出し、当該ゲインを用いて前記ランプ処理後の信号のピーク電力を抑圧するピーク電力抑圧手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項５】
マルチキャリア変調方式により変調されたマルチキャリア変調信号のピーク電力を所定の手順で抑圧するマルチキャリア送信装置において、
前記マルチキャリア変調信号に対してガードインターバルを付加するガードインターバル付加手段と、
所定期間にわたって、前記ガードインターバル付加後の信号レベルを一定周期でサンプリングし、その結果得られた複数のサンプル値に基づいて前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項６】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号に対してガードインターバルを付加するガードインターバル付加手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項７】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項８】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
所定期間にわたって、前記ランプ処理後の信号の信号レベルを一定周期でサンプリングし、その結果得られた複数のサンプル値に基づいて前記ランプ処理後の信号の振幅が所定のしきい値に近づくように適応的にゲインを算出し、当該ゲインを用いて前記ランプ処理後の信号のピーク電力を抑圧するピーク電力抑圧手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項９】
前記ピーク電力抑圧時に発生する帯域外の輻射電力を抑制するフィルタ手段、
を最終段に配置することを特徴とする請求項１〜８のいずれか一つに記載のマルチキャリア送信装置。
【請求項１０】
マルチキャリア変調方式により変調されたマルチキャリア変調信号のピーク電力を所定の手順で抑圧するマルチキャリア送信装置において、
前記マルチキャリア変調信号に対してガードインターバルを付加するガードインターバル付加手段と、
所定期間にわたって、前記ガードインターバル付加後の信号レベルを一定周期でサンプリングし、その結果得られた複数のサンプル値に基づいて前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
前記ピーク電力抑圧後の信号の信号レベルを制御する利得制御手段と、
前記信号レベル制御後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１１】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
所定期間にわたって、前記ガードインターバル付加後の信号レベルを一定周期でサンプリングし、その結果得られた複数のサンプル値に基づいて前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
前記ピーク電力抑圧後の信号の信号レベルを制御する利得制御手段と、
前記信号レベル制御後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１２】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号の信号レベルを制御する利得制御手段と、
前記信号レベル制御後の信号に対してガードインターバルを付加するガードインターバル付加手段と、
前記ガードインターバル付加後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１３】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号の信号レベルを制御する利得制御手段と、
前記信号レベル制御後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１４】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
所定期間にわたって、前記ランプ処理後の信号の信号レベルを一定周期でサンプリングし、その結果得られた複数のサンプル値に基づいて前記ランプ処理後の信号の振幅が所定のしきい値に近づくように適応的にゲインを算出し、当該ゲインを用いて前記ランプ処理後の信号のピーク電力を抑圧するピーク電力抑圧手段と、
前記ピーク電力抑圧後の信号の信号レベルを制御する利得制御手段と、
前記信号レベル制御後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を移動平均する第１の移動平均手段と、
前記選択結果の２乗値を移動平均する第２の移動平均手段と、
前記各移動平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１５】
マルチキャリア変調方式により変調されたマルチキャリア変調信号のピーク電力を所定の手順で抑圧するマルチキャリア送信装置において、
前記マルチキャリア変調信号に対してガードインターバルを付加するガードインターバル付加手段と、
所定期間にわたって、前記ガードインターバル付加後の信号レベルを一定周期でサンプリングし、その結果得られた複数のサンプル値に基づいて前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
前記ピーク電力抑圧後の信号の信号レベルを制御する利得制御手段と、
前記信号レベル制御後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１６】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
所定期間にわたって、前記ガードインターバル付加後の信号レベルを一定周期でサンプリングし、その結果得られた複数のサンプル値に基づいて前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
前記ピーク電力抑圧後の信号の信号レベルを制御する利得制御手段と、
前記信号レベル制御後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１７】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号の信号レベルを制御する利得制御手段と、
前記信号レベル制御後の信号に対してガードインターバルを付加するガードインターバル付加手段と、
前記ガードインターバル付加後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１８】
マルチキャリア変調方式により変調されたマルチキャリア変調信号のピーク電力を所定の手順で抑圧するマルチキャリア送信装置において、
所定期間にわたって、前記マルチキャリア変調信号の信号レベルを一定周期でサンプリングし、その結果得られた複数のサンプル値に基づいて前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号の信号レベルを制御する利得制御手段と、
前記信号レベル制御後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項１９】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
所定期間にわたって、前記ランプ処理後の信号の信号レベルを一定周期でサンプリングし、その結果得られた複数のサンプル値に基づいて前記ランプ処理後の信号の振幅が所定のしきい値に近づくように適応的にゲインを算出し、当該ゲインを用いて前記ランプ処理後の信号のピーク電力を抑圧するピーク電力抑圧手段と、
前記ピーク電力抑圧後の信号の信号レベルを制御する利得制御手段と、
前記信号レベル制御後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値との比較結果に基づいて前記しきい値または前記包絡線レベルを選択する選択手段と、
前記選択結果と前記しきい値との乗算結果を重み付け平均する第１のＦＩＲフィルタ手段と、
前記選択結果の２乗値を重み付け平均する第２のＦＩＲフィルタ手段と、
前記各重み付け平均結果に基づいて前記ゲインを算出するゲイン算出手段と、
前記入力信号に対して前記ゲインを乗算してピーク電力を調整する乗算手段と、
を備えることを特徴とするマルチキャリア送信装置。
【請求項２０】
前記利得制御手段は、
特定時間単位に入力信号のピーク電力を算出するピーク電力検出手段と、
前記ピーク電力が所定の値を超える場合または当該所定の値を下回る場合に、当該所定の値に近づくように利得を設定する利得算出手段と、
前記入力信号に対して前記利得を乗算して信号レベルを調整する乗算手段と、
を備えることを特徴とする請求項１０〜１９のいずれか一つに記載のマルチキャリア送信装置。
【請求項２１】
マルチキャリア変調方式により変調されたマルチキャリア変調信号のピーク電力を所定の手順で抑圧するマルチキャリア送信装置において、
前記マルチキャリア変調信号に対してガードインターバルを付加するガードインターバル付加手段と、
前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項２２】
マルチキャリア変調方式により変調されたマルチキャリア変調信号のピーク電力を所定の手順で抑圧するマルチキャリア送信装置において、
前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号に対してガードインターバルを付加するガードインターバル付加手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項２３】
マルチキャリア変調方式により変調されたマルチキャリア変調信号のピーク電力を所定の手順で抑圧するマルチキャリア送信装置において、
前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項２４】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
前記ランプ処理後の信号の振幅が所定のしきい値に近づくように適応的にゲインを算出し、当該ゲインを用いて前記ランプ処理後の信号のピーク電力を抑圧するピーク電力抑圧手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項２５】
前記ピーク電力抑圧時に発生する帯域外の輻射電力を抑制するフィルタ手段、
を最終段に配置することを特徴とする請求項２１〜２４のいずれか一つに記載のマルチキャリア送信装置。
【請求項２６】
マルチキャリア変調方式により変調されたマルチキャリア変調信号のピーク電力を所定の手順で抑圧するマルチキャリア送信装置において、
前記マルチキャリア変調信号に対してガードインターバルを付加するガードインターバル付加手段と、
前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
前記ピーク電力抑圧後の信号の信号レベルを制御する利得制御手段と、
前記信号レベル制御後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項２７】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、
前記ピーク電力抑圧後の信号の信号レベルを制御する利得制御手段と、
前記信号レベル制御後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項２８】
マルチキャリア変調方式により変調されたマルチキャリア変調信号のピーク電力を所定の手順で抑圧するマルチキャリア送信装置において、
前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号の信号レベルを制御する利得制御手段と、
前記信号レベル制御後の信号に対してガードインターバルを付加するガードインターバル付加手段と、
前記ガードインターバル付加後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項２９】
マルチキャリア変調方式により変調されたマルチキャリア変調信号のピーク電力を所定の手順で抑圧するマルチキャリア送信装置において、
前記マルチキャリア変調信号の振幅が所定のしきい値に近づくように適応的にゲインを算出し、当該ゲインを用いて前記マルチキャリア変調信号のピーク電力を抑圧するピーク電力抑圧手段と、
前記ピーク電力抑圧後の信号の信号レベルを制御する利得制御手段と、
前記信号レベル制御後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項３０】
マルチキャリア変調方式により変調されたマルチキャリア変調信号のピーク電力を所定の手順で抑圧するマルチキャリア送信装置において、
前記マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、
前記ガードインターバル付加後の信号におけるガードインターバル部分に対してランプ処理を行うランプ処理手段と、
前記ランプ処理後の信号の振幅が所定のしきい値に近づくように適応的にゲインを算出し、当該ゲインを用いて前記ランプ処理後の信号のピーク電力を抑圧するピーク電力抑圧手段と、
前記ピーク電力抑圧後の信号の信号レベルを制御する利得制御手段と、
前記信号レベル制御後の信号における帯域外の輻射電力を抑制するフィルタ手段と、
を備え、
前記ピーク電力抑圧手段は、
入力信号の包絡線レベルを検出する包絡線検出手段と、
前記包絡線レベルと前記所定のしきい値である複数のしきい値との比較結果に基づいて前記ゲインを設定するゲイン設定手段と、
前記設定されたゲインと前記入力信号とを乗算してピーク電力を調整する乗算手段と、
前記比較結果に基づいて前記調整後のピーク電力または前記入力信号を選択する選択手段と、
を備えることを特徴とするマルチキャリア送信装置。
【請求項３１】
前記利得制御手段は、
特定時間単位に入力信号のピーク電力を算出するピーク電力検出手段と、
前記ピーク電力が所定の値を超える場合または当該所定の値を下回る場合に、当該所定の値に近づくように利得を設定する利得算出手段と、
前記入力信号に対して前記利得を乗算して信号レベルを調整する乗算手段と、
を備えることを特徴とする請求項２６〜３０のいずれか一つに記載のマルチキャリア送信装置。
【発明の詳細な説明】
【０００１】
【発明の属する技術分野】
本発明は、変調方式としてマルチキャリア変調方式を採用するマルチキャリア送信装置に関するものであり、特に、マルチキャリア変調方式の変調信号のピーク電力を抑圧することが可能なマルチキャリア送信装置に関するものである。
【０００２】
【従来の技術】
以下、従来のマルチキャリア送信装置について説明する。たとえば、上記のような「マルチキャリア変調方式の変調信号のピーク電力を抑圧することが可能なマルチキャリア送信装置」としては、文献「Effects of Clipping and Filtering on the Performance of OFDM, IEEE Communications Letters, vol. 2 No. 5,p.131-133 1998年5月」に記載の装置がある。
【０００３】
図１８は、マルチキャリア変調方式の変調信号のピーク電力を削減することが可能な従来のマルチキャリア送信装置の基本構成を示す図である。また、図１９は、シンボルに付加するガードインターバルを説明するための図である。
【０００４】
図１８において、２００はシリアル／パラレル（Ｓ／Ｐ）変換部であり、２０１−１，２０１−２，…，２０１−ｎは変調器であり、２０４は逆フーリエ変換（ＩＦＦＴ）部であり、２１０はガードインターバル（ＧＩ）付加部であり、２２０はクリッピング部であり、２３０はフィルタ部であり、２４０は周波数変換部であり、２４１は発振器であり、２５０は送信アンプ部であり、２６０はアンテナである。
【０００５】
ここで、マルチキャリア変調方式の変調信号のピーク電力を削減することが可能な従来のマルチキャリア送信装置の動作を、図１８を用いて説明する。
【０００６】
送信データはＳ／Ｐ変換部２００に入力され、Ｓ／Ｐ変換部２００では、当該送信データ（シリアル信号）を、送信に利用するキャリア数分のパラレル信号に変換する。変換後のパラレル信号を個別に受け取った変調器２０１−１〜２０１−ｎでは、各パラレル信号に対してデータ変調を施す。
【０００７】
変調器２０１−１〜２０１−ｎから変調信号を受け取ったＩＦＦＴ部２０４では、各変調信号に対してマルチキャリア化を施し、その結果をシンボル毎の時間波形として出力する。シンボル毎の時間波形を受け取ったＧＩ付加部２１０では、無線通信における伝送路上の遅延波の影響を軽減するためにガードインターバルを付加する。図１９では、ガードインターバルが付加された状態を示す。
【０００８】
ガードインターバル付加後のシンボル毎の時間波形を受け取ったクリッピング部２２０では、当該時間波形のピーク電力を削減する。クリッピング部２２０によるピーク電力の削減処理において、たとえば、サンプル毎の信号入力をｘとし、クリッピングの振幅をＡとした場合、信号出力ｙは、次式（１）を用いて表現できる。
【０００９】
【数１】
0004118584.tif 000002
【００１０】
ピーク電力削減後の時間波形を受け取ったフィルタ部２３０では、クリッピング部２２０にて非線形な振幅制限が行われることにより発生する「帯域外の大きな輻射電力」を、抑制するようにフィルタリング制御を行う。そして、フィルタリング制御後の時間波形を受け取った周波数変換部２４０では、所定の周波数変換処理を行い、送信アンプ部２５０では、周波数変換後の信号を増幅し、アンテナ２６０から増幅後の信号を送信する。
【００１１】
【発明が解決しようとする課題】
しかしながら、上記、従来のマルチキャリア送信装置においては、以下に示す問題があった。
【００１２】
たとえば、マルチキャリア変調後の信号は、ピーク電力が平均電力に対して非常に大きくなり、使用するキャリア数が大きいほど振幅の分布の広がりが大きくなる傾向にある。そして、この大きなピーク電力に対応して歪みなく伝送を行うためには、線形な領域を使用して送信する送信アンプが必要であり、大きなバックオフを設定する必要がある。しかしながら、大きなバックオフを設けるということは、電力効率の低下を招くこととなり、たとえば、最大出力の大きな電力増幅器が必要になる、という問題があった。
【００１３】
また、ピーク電力を抑圧するための方法としては、たとえば、上記従来技術で示したような、信号振幅に上限値を設定するクリッピングという方法があるが、この方法を用いた場合には、クリッピングを施した後に「帯域外の大きな輻射電力」が生じ、この帯域輻射を抑えるためにフィルタによる帯域制限を行う必要がある、という問題があった。また、フィルタによる帯域制限を行った場合には、ピーク電力が再び現れるため、バックオフを設定するときにマージンを持たせる必要がある、という問題があった。
【００１４】
また、ピーク電力を大きく制限するためにクリッピング時の振幅の制限値を小さくした場合、信号は、クリッピングによる非線形な歪みを大きく受けることになるため、受信側復調時に信号品質が劣化する、という問題があった。
【００１５】
本発明は、上記に鑑みてなされたものであって、従来と比較して、ピーク電力を抑圧後の帯域輻射を低減できるマルチキャリア送信装置を得ることを目的とする。
【００１６】
【課題を解決するための手段】
上述した課題を解決し、目的を達成するために、本発明にかかるマルチキャリア送信装置にあっては、マルチキャリア変調信号に対してガードインターバルを付加するガードインターバル付加手段と、前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、を備えることを特徴とする。
【００１７】
つぎの発明にかかるマルチキャリア送信装置にあっては、マルチキャリア変調信号の振幅が所定のしきい値に近づくように適応的にゲインを算出し、当該ゲインを用いて前記マルチキャリア変調信号のピーク電力を抑圧するピーク電力抑圧手段と、前記ピーク電力抑圧後の信号に対してガードインターバルを付加するガードインターバル付加手段と、を備えることを特徴とする。
【００１８】
つぎの発明にかかるマルチキャリア送信装置にあっては、マルチキャリア変調信号の振幅が所定のしきい値に近づくように適応的にゲインを算出し、当該ゲインを用いて前記マルチキャリア変調信号のピーク電力を抑圧するピーク電力抑圧手段と、前記ピーク電力抑圧後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、前記ガードインターバル付加後の信号におけるガードインターバル部分に対してランプ処理を行うランプ処理手段と、を備えることを特徴とする。
【００１９】
つぎの発明にかかるマルチキャリア送信装置にあっては、マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、前記ガードインターバル付加後の信号におけるガードインターバル部分に対してランプ処理を行うランプ処理手段と、前記ランプ処理後の信号の振幅が所定のしきい値に近づくように適応的にゲインを算出し、当該ゲインを用いて前記ランプ処理後の信号のピーク電力を抑圧するピーク電力抑圧手段と、を備えることを特徴とする。
【００２０】
つぎの発明にかかるマルチキャリア送信装置にあっては、前記ピーク電力抑圧時に発生する帯域外の輻射電力を抑制するフィルタ手段、を最終段に配置することを特徴とする。
【００２１】
つぎの発明にかかるマルチキャリア送信装置にあっては、マルチキャリア変調信号に対してガードインターバルを付加するガードインターバル付加手段と、前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、前記ピーク電力抑圧後の信号の信号レベルを制御する利得制御手段と、前記信号レベル制御後の信号における帯域外の輻射電力を抑制するフィルタ手段と、を備えることを特徴とする。
【００２２】
つぎの発明にかかるマルチキャリア送信装置にあっては、マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、前記ガードインターバル付加後の信号の振幅が所定のしきい値に近づくように適応的にゲインを算出し、当該ゲインを用いて前記ガードインターバル付加後の信号のピーク電力を抑圧するピーク電力抑圧手段と、前記ピーク電力抑圧後の信号の信号レベルを制御する利得制御手段と、前記信号レベル制御後の信号におけるガードインターバル部分に対してランプ処理を行うランプ処理手段と、を備えることを特徴とする。
【００２３】
つぎの発明にかかるマルチキャリア送信装置にあっては、マルチキャリア変調信号の振幅が所定のしきい値に近づくように適応的にゲインを算出し、当該ゲインを用いて前記マルチキャリア変調信号のピーク電力を抑圧するピーク電力抑圧手段と、前記ピーク電力抑圧後の信号の信号レベルを制御する利得制御手段と、前記信号レベル制御後の信号に対してガードインターバルを付加するガードインターバル付加手段と、前記ガードインターバル付加後の信号における帯域外の輻射電力を抑制するフィルタ手段と、を備えることを特徴とする。
【００２４】
つぎの発明にかかるマルチキャリア送信装置にあっては、マルチキャリア変調信号の振幅が所定のしきい値に近づくように適応的にゲインを算出し、当該ゲインを用いて前記マルチキャリア変調信号のピーク電力を抑圧するピーク電力抑圧手段と、前記ピーク電力抑圧後の信号の信号レベルを制御する利得制御手段と、前記信号レベル制御後の信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、前記ガードインターバル付加後の信号におけるガードインターバル部分に対してランプ処理を行うランプ処理手段と、を備えることを特徴とする。
【００２５】
つぎの発明にかかるマルチキャリア送信装置にあっては、マルチキャリア変調信号を構成する各シンボルの、前端と後端の特定部分をそれぞれコピーし、コピー後の後端部分を第１のガードインターバルとしてコピー元のシンボルの前に付加し、コピー後の前端部分を第２のガードインターバルとしてコピー元のシンボルの後ろに付加するガードインターバル付加手段と、前記ガードインターバル付加後の信号におけるガードインターバル部分に対してランプ処理を行うランプ処理手段と、前記ランプ処理後の信号の振幅が所定のしきい値に近づくように適応的にゲインを算出し、当該ゲインを用いて前記ランプ処理後の信号のピーク電力を抑圧するピーク電力抑圧手段と、前記ピーク電力抑圧後の信号の信号レベルを制御する利得制御手段と、前記信号レベル制御後の信号における帯域外の輻射電力を抑制するフィルタ手段と、を備えることを特徴とする。
【００２６】
つぎの発明にかかるマルチキャリア送信装置において、前記利得制御手段は、特定時間単位に入力信号のピーク電力を算出するピーク電力検出手段と、前記ピーク電力が所定の値を超える場合または当該所定の値を下回る場合に、当該所定の値に近づくように利得を設定する利得算出手段と、前記入力信号に対して前記利得を乗算して信号レベルを調整する乗算手段と、を備えることを特徴とする。
【００２７】
つぎの発明にかかるマルチキャリア送信装置において、前記ピーク電力抑圧手段は、入力信号の包絡線レベルを検出する包絡線検出手段と、前記包絡線レベルと前記所定のしきい値との比較結果に基づいて前記しきい値または前記包絡線レベルを選択する選択手段と、前記選択結果と前記しきい値との乗算結果を移動平均する第１の移動平均手段と、前記選択結果の２乗値を移動平均する第２の移動平均手段と、前記各移動平均結果に基づいて前記ゲインを算出するゲイン算出手段と、前記入力信号に対して前記ゲインを乗算してピーク電力を調整する乗算手段と、を備えることを特徴とする。
【００２８】
つぎの発明にかかるマルチキャリア送信装置において、前記ピーク電力抑圧手段は、入力信号の包絡線レベルを検出する包絡線検出手段と、前記包絡線レベルと前記所定のしきい値との比較結果に基づいて前記しきい値または前記包絡線レベルを選択する選択手段と、前記選択結果と前記しきい値との乗算結果を重み付け平均する第１のＦＩＲフィルタ手段と、前記選択結果の２乗値を重み付け平均する第２のＦＩＲフィルタ手段と、前記各重み付け平均結果に基づいて前記ゲインを算出するゲイン算出手段と、前記入力信号に対して前記ゲインを乗算してピーク電力を調整する乗算手段と、を備えることを特徴とする。
【００２９】
つぎの発明にかかるマルチキャリア送信装置において、前記ピーク電力抑圧手段は、入力信号の包絡線レベルを検出する包絡線検出手段と、前記包絡線レベルと前記所定のしきい値である「複数のしきい値」との比較結果に基づいて前記ゲインを設定するゲイン設定手段と、前記設定されたゲインと前記入力信号とを乗算してピーク電力を調整する乗算手段と、前記比較結果に基づいて前記調整後のピーク電力または前記入力信号を選択する選択手段と、を備えることを特徴とする。
【００３０】
【発明の実施の形態】
以下に、本発明にかかるマルチキャリア送信装置の実施の形態を図面に基づいて詳細に説明する。なお、この実施の形態によりこの発明が限定されるものではない。
【００３１】
実施の形態１．
図１は、本発明にかかるマルチキャリア送信装置の実施の形態１の構成を示す図である。図１において、１はシリアル／パラレル（Ｓ／Ｐ）変換部であり、２−１，２−２，…，２−ｎは変調器であり、３は逆フーリエ変換（ＩＦＦＴ）部であり、４はガードインターバル（ＧＩ）付加部であり、５はピーク抑圧部であり、６はフィルタ部であり、７は周波数変換部であり、８は発振器であり、９は送信アンプ部であり、１０はアンテナである。なお、ガードインターバル（ＧＩ）については、先に説明した従来技術と同様の処理で付加する。
【００３２】
また、図２は、実施の形態１のピーク抑圧部５の構成を示す図であり、２１は包絡線検出部であり、２２は比較部であり、２３は選択部であり、２４は乗算器であり、２５は移動平均部であり、２６は２乗器であり、２７は移動平均部であり、２８は除算器であり、２９は遅延器であり、３０は乗算器である。また、図３は、移動平均部２５，２７の構成の一例を示す図であり、３１は（Ｍ＋１）段のシフトレジスタ（Ｍは偶数）であり、３２は加算器であり、３３は乗算器である。ここでは、ピーク抑圧部５の移動平均処理の一例を示す。また、図４は、重み付けのためのゲインの生成方法を説明するための図である。
【００３３】
ここで、本実施の形態におけるマルチキャリア送信装置の動作を、図面を用いて詳細に説明する。
【００３４】
まず、送信データはＳ／Ｐ変換部１に入力され、Ｓ／Ｐ変換部１では、受け取った送信データを、送信に利用するキャリア数分のパラレルデータに変換する。上記パラレルデータを個別に受信した変調器２−１〜２−ｎ（ｎは自然数）では、所定のデータ変調を施す。
【００３５】
変調後のデータを受け取ったＩＦＦＴ部３では、各変調信号に対してマルチキャリア化を施し、その結果としてシンボル毎の時間波形を出力する。シンボル毎の時間波形を受け取ったＧＩ付加部４では、無線通信における伝送路上の遅延波の影響を軽減するためにガードインターバルを付加する（図１９参照）。
【００３６】
ガードインターバル付加後のシンボルを受け取ったピーク抑圧部５では、当該シンボルの時間波形におけるピーク電力を抑圧する。なお、ピーク抑圧部５の動作については、図２、図３、図４を用いて説明する。
【００３７】
図２に示すように、ピーク抑圧部５では、包絡線検出部２１が入力信号の包絡線レベルを検出する。検出された包絡線レベルは比較部２２および選択部２３に入力され、選択部２３が、比較部２２による包絡線レベルと予め設定されたしきい値ｄthとの比較結果に応じて、包絡線レベルおよびしきい値ｄthのなかからいずれか一方を選択する。たとえば、サンプル毎の信号入力をｘ（ｉ）（ただし、複素値）とした場合、選択部２３の出力信号ｚ（ｉ）は、次式（２）のように表すことができる。
【００３８】
【数２】
0004118584.tif 000003
【００３９】
選択部２３の出力信号ｚ（ｉ）を受け取った乗算器２４では、当該出力信号ｚ（ｉ）としきい値ｄthとを乗算する。乗算器２４の出力信号を受け取った移動平均部２５では、次式（３）により移動平均値ｖ（ｉ）を出力する（図３に示す移動平均部の構成を参照）。図４（ａ）は、移動平均部２５の出力の一例を示す図である。
【００４０】
【数３】
0004118584.tif 000004
【００４１】
一方、選択部２３の出力信号ｚ（ｉ）を受け取った２乗器２６では、当該出力信号ｚ（ｉ）の２乗を計算する。２乗器２６の出力信号を受け取った移動平均部２７では、次式（４）により移動平均値ｕ（ｉ）を出力する。
【００４２】
【数４】
0004118584.tif 000005
【００４３】
そして、移動平均部２５および移動平均部２７の出力信号を受け取った除算器２８では、次式（５）により除算を行い、ゲインｇ（ｉ）を出力する。図４（ｂ）は、ゲインｇ（ｉ）の一例を示す図である。
【００４４】
【数５】
0004118584.tif 000006
【００４５】
ピーク抑圧部５では、最後に、遅延器２９にて遅延調整後の入力信号ｘ（ｉ）を受け取った乗算器３０が、式（５）にて算出されたゲインｇ（ｉ）と入力信号ｘ（ｉ）とを乗算する。乗算器３０の出力は、ピーク抑圧後の信号として出力される。
【００４６】
ピーク電力を抑圧後、フィルタ部６では、ピーク抑圧後の信号において発生する「従来よりも低減された帯域外の輻射電力」をさらに抑制するため、フィルタリング処理を行う。そして、フィルタリング処理後の信号を受け取った周波数変換部７では、所定の周波数変換処理を行い、送信アンプ部９では、周波数変換後の信号を増幅し、増幅後の信号をアンテナ１０から送信する。
【００４７】
このように、本実施の形態においては、ピーク電力を抑圧するために送信信号の振幅に対して目標のしきい値を設定し、当該しきい値に近づくように送信信号を調整するためのゲインを、時間方向に平均化しながら適応的に算出する。そして、上記送信信号を、上記ゲインを用いてサンプル毎に調整する。これにより、ピーク電力を抑圧しながら、さらに帯域輻射を従来よりも低減できる。
【００４８】
なお、本実施の形態では、ＧＩ付加部４，ピーク抑圧部５の順に配置されているが、必ずしもこの順番である必要はなく、たとえば、図５に示すように、ピーク抑圧部５，ＧＩ付加部４の順に配置することとしてもよい。
【００４９】
実施の形態２．
図６に、本発明にかかるマルチキャリア送信装置における実施の形態２のピーク抑圧部５の構成を示す図である。図６において、４１，４２はＦＩＲ（Finite Impulse Response）フィルタ部である。なお、実施の形態２のピーク抑圧部５以外の構成については前述した実施の形態１と同様である。また、実施の形態２のピーク抑圧部５において、ピーク抑圧部５と同様の内部構成については、同一の符号を付してその説明を省略する。ここでは、実施の形態１と異なるピーク抑圧部５の動作についてのみ説明する。
【００５０】
また、図７は、ＦＩＲフィルタ部４１，４２の構成の一例を示す図であり、４３は（Ｍ＋１）段のシフトレジスタ（Ｍは偶数）であり、４４−１，４４−２，…，４４−（Ｍ＋１）は乗算器であり、４５は加算器である。
【００５１】
ここで、本実施の形態におけるピーク抑圧部５の動作を図６，図７を用いて説明する。
【００５２】
乗算器２４では、選択部２３の出力信号ｚ（ｉ）と所定のしきい値ｄthとを乗算し、その乗算結果をＦＩＲフィルタ部４１に対して出力する。ＦＩＲフィルタ部４１では、次式（６）によりＦＩＲフィルタ出力値ｖ（ｉ）を出力する（図７のＦＩＲフィルタ部の構成を参照）。ここでは、ＦＩＲフィルタのタップ係数ｂ（０），ｂ（１），…，ｂ（ｍ）が各レジスタ値に乗算される。タップ係数は、たとえば、ｂ（Ｍ／２）の係数が大きくなるように選択する。ＦＩＲフィルタ部４１出力の一例を図４（ａ）に示す。
【００５３】
【数６】
0004118584.tif 000007
【００５４】
一方、２乗器２６では、選択部２３の出力信号ｚ（ｉ）の２乗を計算し、その計算結果をＦＩＲフィルタ部４２に対して出力する。ＦＩＲフィルタ部４２では、次式（７）によりＦＩＲフィルタ出力値ｕ（ｉ）を出力する（図７のＦＩＲフィルタ部の構成を参照）。ここでは、上記同様、ＦＩＲフィルタのタップ係数ｂ（０），ｂ（１），…，ｂ（ｍ）が各レジスタ値に乗算される。
【００５５】
【数７】
0004118584.tif 000008
【００５６】
そして、ＦＩＲフィルタ部４１およびＦＩＲフィルタ部４２の出力信号を受け取った除算器２８では、前述の式（５）により除算を行い、ゲインｇ（ｉ）を出力する。ゲインｇ（ｉ）の一例を図４（ｂ）に示す。
【００５７】
ピーク抑圧部５では、最後に、遅延器２９にて遅延調整後の入力信号ｘ（ｉ）を受け取った乗算器３０が、式（５）にて算出されたゲインｇ（ｉ）と入力信号ｘ（ｉ）とを乗算する。乗算器３０の出力は、ピーク抑圧後の信号として出力される。
【００５８】
このように、本実施の形態においては、ピーク電力を抑圧するために送信信号の振幅に対して目標のしきい値を設定し、当該しきい値に近づくように送信信号を調整するためのゲインを、時間方向に重み付け平均を行いながら適応的に算出する。そして、上記送信信号を、上記ゲインを用いてサンプル毎に調整する。これにより、ピーク電力を抑圧しながら、さらに帯域輻射を従来よりも低減できる。
【００５９】
実施の形態３．
図８は、本発明にかかるマルチキャリア送信装置における実施の形態３のピーク抑圧部５の構成を示す図である。図８において、５１はしきい値設定部であり、５２は比較部であり、５３は係数設定部であり、５４は乗算器であり、５５は選択部である。なお、ピーク抑圧部５以外の構成については前述した実施の形態１または２と同様である。また、実施の形態３のピーク抑圧部５において、実施の形態１または２のピーク抑圧部５と同様の内部構成については、同一の符号を付してその説明を省略する。ここでは、実施の形態１および２と異なるピーク抑圧部５の動作についてのみ説明する。
【００６０】
ここで、本実施の形態におけるピーク抑圧部５の動作を、図面を用いて説明する。図９は、実施の形態３のピーク抑圧部５の動作を説明するための図である。
【００６１】
まず、本実施の形態のピーク抑圧部５の原理を説明する。図９に示されるように、予め複数のしきい値を設けて、包絡線検出部２１により検出された包絡線レベルがあるしきい値Ｔhn（ｎ＝１，２，…，Ｎ）を超える場合には、超えたしきい値に対応する係数αn（ｎ＝１，２，…，Ｎ）を入力信号に対して重み付けする。設定される複数のしきい値と各しきい値に対応する係数の関係については、許容する最大のピーク電力を設定し、ピーク抑圧後に通過するフィルタから送信アンプ部までの非線形の系を考慮し、帯域外の輻射が小さくなるように設定する。具体的にいうと、複数のしきい値Ｔh1，Ｔh2，…，ＴhNによりクラス分けを行い、クラス毎に適切な係数α1，α2，…，αNを設定する。そして、これらの係数を規格化された入力信号に重み付けする。なお、これらのしきい値Ｔhnおよび係数αnは、予め用意したマルチキャリア変調用トレーニング信号により設定される。
【００６２】
つぎに、上記原理を前提として実施の形態３のピーク抑圧部５の動作を説明する。包絡線検出部２１にて入力信号の包絡線レベルを検出後、比較部５２では、当該包絡線レベルとしきい値設定部５１において予め用意された複数のしきい値Ｔh1，Ｔh2，…，ＴhNとを比較し、係数設定部５３では、当該比較結果に応じて係数α1，α2，…，αNのなかからいずれか１つの係数を設定する。
【００６３】
入力信号を受け取った乗算器５４では、上記のように設定された係数と入力信号とを乗算する。最後に、選択部５５では、上記比較結果に応じて乗算器５４出力または入力信号を選択し、その選択結果をピーク抑圧後の信号として出力する。たとえば、包絡線レベルが設定されたいずれのしきい値も超えない場合には、入力信号の振幅が維持されるように、係数が乗算されていない入力信号を出力する。
【００６４】
このように、本実施の形態においては、ピーク電力抑圧のために送信信号の振幅に対して１つあるいは複数のしきい値を設定し、信号振幅がどのしきい値を超えたかを検出し、当該検出されたしきい値に応じて送信信号に対して乗算する係数を設定する。これにより、ピーク電力を抑圧しながら、さらに帯域輻射を従来よりも低減できる。
【００６５】
実施の形態４．
図１０は、本発明にかかるマルチキャリア送信装置の実施の形態４の構成を示す図である。図１０において、１１はＧＩ付加部であり、１２はランプ処理部である。なお、前述の実施の形態１、２または３と同様の構成については、同一の符号を付してその説明を省略する。ここでは、実施の形態１〜３と異なるＧＩ付加部１１、ランプ処理部１２の動作についてのみ説明する。
【００６６】
本実施の形態では、ランプ処理部１２にてガードインターバル部分のランプ処理を行うため、ピーク電力抑圧後にガードインターバルを付加している。ＧＩ付加部１１の処理方法が前述の実施の形態１〜３と異なる。
【００６７】
ここで、本実施の形態におけるマルチキャリア送信装置の動作を、図面を用いて詳細に説明する。なお、図１１は、ＧＩ付加部１１の処理方法を示す図であり、図１２は、ランプ処理部１２の処理方法を示す図である。
【００６８】
ＧＩ付加部１１では、図１１に示すように、ランプ処理部分を付加するため、シンボルの前後の特定部分をそれぞれコピーし、シンボル単位にガードインターバルＧＩ（１）とＧＩ（２）を付加する。
【００６９】
ガードインターバル付加後のシンボルを受け取ったランプ処理部１２では、ガードインターバルＧＩ（１）とＧＩ（２）に対してランプ処理を施す。ランプ処理は、一般に、図１２に示されるような余弦波形が乗算される。これにより、帯域外輻射を低減することが可能となる。ランプ処理後のシンボルはそれぞれ時間単位に加算され、ランプ処理部１２では、当該加算結果としてランプ処理後のシンボル系列を生成する。
【００７０】
なお、本実施の形態のランプ処理部１２は、ピーク抑圧部５を適用した構成に限らず、従来のようなクリッピング処理を行う構成に対しても適用可能である。また、本実施の形態では、ピーク抑圧部５，ＧＩ付加部１１，ランプ処理部１２の順で処理が行われているが、ＧＩ付加部１１の後にランプ処理部１２が配置されていればよく、たとえば、ＧＩ付加部１１，ランプ処理部１２，ピーク抑圧部５の順で配置されていてもよい。
【００７１】
このように、本実施の形態においては、前述したピーク電力の抑圧処理と、さらに上記ガードインターバルに対するランプ処理と、を行う構成とした。これにより、さらに帯域輻射を低減できる。
【００７２】
実施の形態５．
図１３は、本発明にかかるマルチキャリア送信装置の実施の形態５の構成を示す図である。なお、前述の実施の形態１〜４と同様の構成については、同一の符号を付してその説明を省略する。
【００７３】
本実施の形態では、実施の形態４の構成における周波数変換部７の前に、帯域制限用のフィルタ部６を挿入する。フィルタ部６では、実施の形態１〜３と同様に、輻射電力を抑制するためフィルタリング処理を行う。
【００７４】
このように、本実施の形態においては、ピーク電力の抑圧処理とガードインターバルに対するランプ処理を行った後、さらにフィルタにより帯域制限を行う構成とした。これにより、さらに帯域輻射を低減できる。
【００７５】
実施の形態６．
図１４は、本発明にかかるマルチキャリア送信装置の実施の形態６の構成を示す図であり、１３は利得制御部である。ここでは、ピーク抑圧部５とフィルタ部６の間に利得制御部１３が設けられている。なお、前述の実施の形態１〜５と同様の構成については、同一の符号を付してその説明を省略する。ここでは、実施の形態１〜３と異なる利得制御部１３の動作についてのみ説明する。
【００７６】
ここで、本実施の形態におけるマルチキャリア送信装置の動作を、図面を用いて詳細に説明する。なお、図１５は、利得制御部１３の構成を示す図であり、６１はピーク検出部であり、６２は利得算出部であり、６３は遅延器であり、６４は乗算器である。また、図１６は、利得算出部６２の動作原理を示す図である。
【００７７】
ピーク電力抑圧後の信号を受け取った利得制御部１３では、ピーク検出部６１が、入力信号の包絡線レベルを検出し、予め定められた時間内、たとえば、シンボル時間内で、信号電力が最大となる部分（ピーク電力）を検出する。
【００７８】
ピーク電力を検出後、利得算出部６２では、まず、当該ピーク電力と目標値ｄｇとの比較を行う。図１６（ａ）に示すように、目標値ｄｇがピーク電力を超える場合には、目標値ｄｇを超えないようにするための利得制御用のゲインを設定する。一方、図１６（ｂ）に示すように、目標値ｄｇがピーク電力を超えない場合には、目標値ｄｇに近づくようにするためのゲインを設定する。なお、ゲインαは、ピーク検出部６１で検出されたピーク電力をＰmaxとした場合、たとえば、次式（８）のように設定する。
α＝ｄｇ／Ｐmax                …（８）
【００７９】
ゲインαを設定後、乗算器６４では、遅延器６３にてピーク検出部６１と利得算出部６２の処理遅延を付加した入力信号に対して、当該ゲインαを乗算し、その乗算結果として利得制御後の信号を出力する。
【００８０】
なお、本実施の形態では、実施の形態１、２または３のいずれのピーク抑圧部５を適用することとしてもよい。また、本実施の形態では、フィルタリング処理により帯域外輻射を抑えているが、フィルタ部の代わりに、たとえば、ランプ処理部を設ける構成としてもよい。さらに、本実施の形態では、ＧＩ付加部，ピーク抑圧部，利得制御部の順で配置されているが、ピーク抑圧部，利得制御部の順序が維持されていればよく、たとえば、ピーク抑圧部，利得制御部，ＧＩ付加部の順で配置することとしてもよい。
【００８１】
このように、本実施の形態においては、ピーク抑圧後の信号に対して利得制御を行う構成とした。これにより、入力信号の平均電力の低下を抑えながら、特定時間毎のピーク電力のばらつきを抑えることができる。
【００８２】
実施の形態７．
図１７は、本発明にかかるマルチキャリア送信装置の実施の形態７の構成を示す図である。なお、前述の実施の形態１〜６と同様の構成については、同一の符号を付してその説明を省略する。ここでは、実施の形態６と異なるＧＩ付加部１１、ランプ処理部１２の動作についてのみ説明する。
【００８３】
本実施の形態では、ＧＩ付加部１１が、先に説明した図１１に示すように、ランプ処理部分を付加するため、シンボルの前後の特定部分をそれぞれコピーし、シンボル単位にガードインターバルＧＩ（１）とＧＩ（２）を付加する。そして、ランプ処理部１２では、ガードインターバルＧＩ（１）とＧＩ（２）に対してランプ処理を施す。ランプ処理は、先に説明した図１２と同様である。
【００８４】
このように、本実施の形態においては、所定のガードインターバル付加後にランプ処理を行い、さらにピーク電力抑圧後にフィルタリング処理を行う構成とした。これにより、入力信号の平均電力の低下を抑えながら、特定時間毎のピーク電力のばらつきを抑えることができるとともに、さらに帯域輻射を低減できる。
【００８５】
実施の形態８．
本実施の形態は、実施の形態６および７の利得制御部１３内の利得算出部６２の動作が異なる。なお、実施の形態８の構成については、前述した実施の形態６の図１４または実施の形態７の図１７と同様である。ここでは、動作の異なる利得算出部６２の動作について説明する。
【００８６】
まず、利得算出部６２では、入力信号と目標値ｄｇと比較し、ゲインが設定する。たとえば、目標値ｄｇよりもピーク電力Ｐmaxが大きい場合は、ゲインαを次式（９）で設定する。ただし、βは０＜βL＜１とする。
α＝βL・ｄｇ／Ｐmax      …（９）
【００８７】
一方、目標値ｄｇよりもピーク電力Ｐmaxが小さい場合は、ゲインαを次式（１０）で設定する。βは０＜βS＜１とする。
α＝βS・ｄｇ／Ｐmax      …（１０）
【００８８】
なお、前記βLおよびβSは同一の値となっても構わない。
【００８９】
このように、本実施の形態においては、ピーク抑圧後の信号に対して利得制御を行うため、特定時間毎に得られる入力信号の平均電力の低下を抑えることができる。さらに、特定時間毎のピーク電力のばらつきを許容しながら、平均電力の増減を抑えることができる。
【００９０】
【発明の効果】
以上、説明したとおり、本発明によれば、ピーク電力抑圧手段が、ガードインターバル付加後の信号の振幅が所定のしきい値に近づくように適応的にゲインを算出し、当該ゲインを用いて前記ガードインターバル付加後の信号のピーク電力を抑圧する。これにより、クリッピング処理によりピーク電力を抑圧する従来技術と比較して、大幅に帯域輻射を低減できる、という効果を奏する。
【００９１】
つぎの発明によれば、ピーク電力抑圧手段が、マルチキャリア変調信号の振幅が所定のしきい値に近づくように適応的にゲインを算出し、当該ゲインを用いて前記マルチキャリア変調信号のピーク電力を抑圧する。これにより、クリッピング処理によりピーク電力を抑圧する従来技術と比較して、大幅に帯域輻射を低減できる、という効果を奏する。
【００９２】
つぎの発明によれば、ピーク電力抑圧手段が、マルチキャリア変調信号の振幅が所定のしきい値に近づくように適応的にゲインを算出し、当該ゲインを用いて前記マルチキャリア変調信号のピーク電力を抑圧した後、ランプ処理手段が、ガードインターバル付加後の信号に対してランプ処理を行う。これにより、さらに帯域輻射を低減できる、という効果を奏する。
【００９３】
つぎの発明によれば、ランプ処理手段が、ガードインターバル付加後の信号に対してランプ処理を行った後、ピーク電力抑圧手段が、ランプ処理後の信号の振幅が所定のしきい値に近づくように適応的にゲインを算出し、当該ゲインを用いて前記マルチキャリア変調信号のピーク電力を抑圧する。これにより、さらに帯域輻射を低減できる、という効果を奏する。
【００９４】
つぎの発明によれば、ピーク電力抑圧時に発生する帯域外の輻射電力を抑制する。これにより、さらに帯域輻射を低減できる、という効果を奏する。
【００９５】
つぎの発明によれば、ピーク電力抑圧手段が、ガードインターバル付加後の信号の振幅が所定のしきい値に近づくように適応的にゲインを算出し、当該ゲインを用いて前記ガードインターバル付加後の信号のピーク電力を抑圧した後、利得制御手段が、ピーク抑圧後の信号に対して利得制御を行い、さらに、フィルタ手段が、利得制御後の信号における帯域外の輻射電力を抑制する。これにより、入力信号の平均電力の低下を抑えながら、特定時間毎のピーク電力のばらつきを抑えることができる。
【００９６】
つぎの発明によれば、ピーク電力抑圧手段が、ガードインターバル付加後の信号の振幅が所定のしきい値に近づくように適応的にゲインを算出し、当該ゲインを用いて前記ガードインターバル付加後の信号のピーク電力を抑圧した後、利得制御手段が、ピーク抑圧後の信号に対して利得制御を行い、さらに、ランプ処理手段が、利得制御後の信号に対してランプ処理を行う。これにより、入力信号の平均電力の低下を抑えながら、特定時間毎のピーク電力のばらつきを抑えることができる。
【００９７】
つぎの発明によれば、ピーク電力抑圧手段が、マルチキャリア変調信号の振幅が所定のしきい値に近づくように適応的にゲインを算出し、当該ゲインを用いて前記マルチキャリア変調信号のピーク電力を抑圧した後、利得制御手段が、ピーク抑圧後の信号に対して利得制御を行い、さらに、フィルタ手段が、ガードインターバル付加後の信号における帯域外の輻射電力を抑制する。これにより、入力信号の平均電力の低下を抑えながら、特定時間毎のピーク電力のばらつきを抑えることができる。
【００９８】
つぎの発明によれば、ピーク電力抑圧手段が、マルチキャリア変調信号の振幅が所定のしきい値に近づくように適応的にゲインを算出し、当該ゲインを用いて前記マルチキャリア変調信号のピーク電力を抑圧した後、利得制御手段が、ピーク抑圧後の信号に対して利得制御を行い、さらに、ランプ処理手段が、ガードインターバル付加後の信号に対してランプ処理を行う。これにより、入力信号の平均電力の低下を抑えながら、特定時間毎のピーク電力のばらつきを抑えることができる。
【００９９】
つぎの発明によれば、ピーク抑圧後の信号に対して利得制御を行うため、特定時間毎に得られる入力信号の平均電力の低下を抑えることができる、という効果を奏する。さらに、特定時間毎のピーク電力のばらつきを許容しながら、平均電力の増減を抑えることができる、という効果を奏する。
【０１００】
つぎの発明によれば、まず、特定時間単位に入力信号のピーク電力を算出し、つぎに、算出したピーク電力が所定の値を超える場合または所定の値を下回る場合に当該所定の値に近づくように利得を設定し、最後に、入力信号に対して前記利得を乗算する。これにより、確実に信号レベルを調整できる、という効果を奏する。
【０１０１】
つぎの発明によれば、まず、入力信号の包絡線レベルを検出し、つぎに、当該包絡線レベルと所定のしきい値との比較結果に基づいてしきい値または包絡線レベルを選択し、つぎに、選択結果としきい値との乗算結果の移動平均結果と、選択結果の２乗値の移動平均結果、に基づいてゲインを算出し、最後に、入力信号に対して前記ゲインを乗算する。これにより、確実にピーク電力を抑圧することができる、という効果を奏する。
【０１０２】
つぎの発明によれば、まず、入力信号の包絡線レベルを検出し、つぎに、当該包絡線レベルと所定のしきい値との比較結果に基づいてしきい値または包絡線レベルを選択し、つぎに、選択結果としきい値との乗算結果に対する第１のＦＩＲフィルタ手段出力と、選択結果の２乗値に対する第２のＦＩＲフィルタ手段出力、に基づいてゲインを算出し、最後に、入力信号に対して前記ゲインを乗算する。これにより、確実にピーク電力を抑圧することができる、という効果を奏する。
【０１０３】
つぎの発明によれば、まず、入力信号の包絡線レベルを検出し、つぎに、当該包絡線レベルと複数のしきい値との比較結果に基づいてゲインを設定し、つぎに、設定されたゲインと入力信号とを乗算し、最後に、前記比較結果に基づいて乗算結果または入力信号を選択する。これにより、確実にピーク電力を抑圧することができる、という効果を奏する。
【図面の簡単な説明】
【図１】  本発明にかかるマルチキャリア送信装置の実施の形態１の構成を示す図である。
【図２】  実施の形態１のピーク抑圧部の構成を示す図である。
【図３】  移動平均部の構成の一例を示す図である。
【図４】  重み付けのためのゲインの生成方法を説明するための図である。
【図５】  本発明にかかるマルチキャリア送信装置の実施の形態１の構成を示す図である。
【図６】  本発明にかかるマルチキャリア送信装置における実施の形態２のピーク抑圧部の構成を示す図である。
【図７】  ＦＩＲフィルタ部の構成の一例を示す図である。
【図８】  本発明にかかるマルチキャリア送信装置における実施の形態３のピーク抑圧部の構成を示す図である。
【図９】  実施の形態３のピーク抑圧部の動作を説明するための図である。
【図１０】  本発明にかかるマルチキャリア送信装置の実施の形態４の構成を示す図である。
【図１１】  ＧＩ付加部の処理方法を示す図である。
【図１２】  ランプ処理部の処理方法を示す図である。
【図１３】  本発明にかかるマルチキャリア送信装置の実施の形態５の構成を示す図である。
【図１４】  本発明にかかるマルチキャリア送信装置の実施の形態６の構成を示す図である。
【図１５】  利得制御部の構成を示す図である。
【図１６】  利得算出部の動作原理を示す図である。
【図１７】  本発明にかかるマルチキャリア送信装置の実施の形態７の構成を示す図である。
【図１８】  従来のマルチキャリア送信装置の基本構成を示す図である。
【図１９】  シンボルに付加するガードインターバルを説明するための図である。
【符号の説明】
１  シリアル／パラレル（Ｓ／Ｐ）変換部、２−１，２−２，２−ｎ  変調器、３  逆フーリエ変換（ＩＦＦＴ）部、４  ガードインターバル（ＧＩ）付加部、５  ピーク抑圧部、６  フィルタ部、７  周波数変換部、８  発振器、９  送信アンプ部、１０  アンテナ、１１  ＧＩ付加部、１２  ランプ処理部、１３  利得制御部、２１  包絡線検出部、２２  比較部、２３  選択部、２４  乗算器、２５  移動平均部、２６  ２乗器、２７  移動平均部、２８  除算器、２９  遅延器、３０  乗算器、３１  シフトレジスタ、３２  加算器、３３  乗算器、４１，４２  ＦＩＲフィルタ部、４３  シフトレジスタ、４４−１，４４−２，４４−（Ｍ＋１）  乗算器、４５  加算器、５１  しきい値設定部、５２  比較部、５３  係数設定部、５４  乗算器、５５  選択部、６１  ピーク検出部、６２  利得算出部、６３  遅延器、６４  乗算器。
【図１】
0004118584.tif 000009
【図２】
0004118584.tif 000010
【図３】
0004118584.tif 000011
【図４】
0004118584.tif 000012
【図５】
0004118584.tif 000013
【図６】
0004118584.tif 000014
【図７】
0004118584.tif 000015
【図８】
0004118584.tif 000016
【図９】
0004118584.tif 000017
【図１０】
0004118584.tif 000018
【図１１】
0004118584.tif 000019
【図１２】
0004118584.tif 000020
【図１３】
0004118584.tif 000021
【図１４】
0004118584.tif 000022
【図１５】
0004118584.tif 000023
【図１６】
0004118584.tif 000024
【図１７】
0004118584.tif 000025
【図１８】
0004118584.tif 000026
【図１９】
0004118584.tif 000027